(57)【要約】      （修正有）【課題】スマートフォン使用者の安全を向上するために歩行中や移動中にスマートフォン操作の必要のある場合において、前方周辺の安全確認をしつつスマートフォンの操作を可能にしたスマートフォン用・ケースを提供する。【解決手段】角度可変式の反射鏡３が付いている。角度可変式の反射鏡３は角度が自由に設定、保持できる可動軸受け部６，７を持ち、かつ、スマートフォン用・ケース１に折りたたみ収納もできる。スマートフォン本体を嵌め込むような形状を持ち、容易に着脱でき、かつ、樹脂性の成型体からなる。【選択図】図１
0003190624.tif 000002
【実用新案登録請求の範囲】
【請求項１】
本考案のスマートフォン用・ケースには角度可変式の反射鏡が付いていることを特徴とする。
【請求項２】
前記の角度可変式の反射鏡は角度が自由に設定、保持できる可動軸受け部を持ちスマートフォン・ケースに折りたたみ収納もできる特徴を持つ。
【請求項３】
本考案のスマートフォン用・ケースはスマートフォン本体を嵌め込むような形状を持ち容易に着脱できるものでその構成は樹脂性の成型体からなる。
【考案の詳細な説明】
【考案の詳細な説明】
【０００１】
【技術分野】
【０００２】この考案はスマートフォンを使用する際にその本体に装着して画面表示や機能を円滑、安全に行える操作を補助できる技術に関するものである。
【背景技術】
【０００３】従来のスマートフォンは本体の正面と背面に組み込まれたカメラレンズ付きがほとんどである。そのカメラ機能を使用して見る映像は通常、正面と背面に組み込まれたカメラの単一の方向のみであり、スマートフォン使用者の前方周辺を見るにはスマートフォン本体をその方向に向けなければならない。都合良く前方周辺の安全を確認しながらスマートフォン機能を使用することは困難である。【０００４】
【先行技術文献】
【特許文献】
【０００５】
【特許文献１】  特開２００６−１１２２０５（Ｐ２００６−１１２２０５）号公報
【考案の概要】
【考案が解決しようとする課題】
【０００６】本考案は、スマートフォーンが普及するにあたりその便利な機能のため使用者が歩行中または移動中に使用することが多い。このため使用者と他者、自転車、車両等や障害物等との予期せぬ接触や事故が起きる問題があった。【０００７】前記の課題を解決するために前方方向を映し出せる外付けカメラや特殊カメラを内臓した新規のスマートフォンを購入しなければならなった。
【課題を解決するための手段】
【０００８】本考案品は装着したスマートフォンのカメラレンズの下部に角度可変式の反射鏡が収納されるように装着できる。その反射鏡はスマートフォン使用者の前方周辺を取り込んだ映像や画像を反射鏡を通してスマートフォン本体のカメラレンズからスマートフォン本体画面に映し出されるように考案されている。【０００９】本考案品は各種スマートフォン形状に合わせた寸法に成型することができるものでスマートフォン本体に嵌め込むようにして装着する着脱方式のスマートフォン用・ケースとして考案されたもので、新規にスマートフォンを購入することを不要とした。反射鏡は収納された状態ではスマートフォン・ケースと一体感のある形状に合わせて製作されている。
【考案を実施するための形態】
【００１０】以下、この考案の実施例に基づき説明するが、以下の説明において同一の機能を有する部材や部位、構成については同一の符号を付け、或いは説明を省略する場合がある。
【００１１】図１は、本考案の実施例の斜視図である。スマートフォン用・ケース１には角度可変式の反射鏡本体部３が取り付けられていて、その本体面には鏡面が組み込まれている。反射鏡は角度を可変できるように可動式軸受け部６及び７を持つ。この可動式軸受け部の作用は反射鏡部の角度を自由に設定した位置に保持できるように軸受け部は工夫されている。
【００１２】図２は本考案品をスマートフォン本体に装着する方法を説明した図である。本考案から得られる効果として、スマートフォン使用者の前方周辺の映像を取り込むには、スマートフォン本体５がスマートフォン用・ケース１に装着された時点で反射鏡本体部２を指で起こし使用する。また、反射鏡は収納された状態ではスマートフォン・ケースと一体感のある形状に合わせて製作されている。
【００１３】図３は反射鏡部の詳細を表したものである。反射鏡本体部（図３−３）には、反射鏡（図３−２）が組み込まれている。その反射鏡本体は反射鏡可動軸受け部６、７に嵌め込むように取り付けられている。この反射鏡可動式軸受け部は前方画像が取り込み易い位置に反射鏡の角度を変え保持できるようにした特徴になっている。
【００１４】図４は反射鏡の使用が必要でないときに折りたたみ収納できるようになっていることを示す図である。反射鏡を使用するには反射鏡本体３を反射鏡収納部４の位置から指で引き起こすようになっている。
【００１５】図５は本考案品を反射鏡が収納された状態の斜視図である。
【００１６】図６は本考案のスマートフォン用・ケースの内面の斜視図である。反射鏡部本体３は収納された状態にある。考案の反射鏡を除き樹脂製や金属製の成型品で製造できるので、各種のスマートフォンの機種においてもそれぞれに合ったスマートフォン・ケースが製造できる。
【００１７】図７は、本考案から本考案の効果を得られた状態を表す。考案の特徴である角度可変の反射鏡本体部３に組み込まれた反射鏡部２が、スマートフォンの背面カメラレンズの下部に前方確認ができる都合良い角度に引き起こされている状態である。スマートフォン本体５の画面には前方周辺の映像が表示されている。本考案品用に開発されて専用アプリをインストールすることにより、前方の安全を確認しながらメール作成や検索ブラウザー等のアプリも操作できる。
【００１８】図８は、本考案を実施使用している状態での反射鏡の角度と前方周辺映像被写体との作用を説明した図である。スマートフォン使用者の前方周辺の画像は反射鏡面２から反射してスマートフォン本体５のカメラレンズに入射して取り込まれスマートフォン本体の画面に映し出される。
【考案の効果】
【００１９】本考案のスマートフォン用・ケースを装着することで使用者が前方の安全を確認しつつ、スマートフォン機能も同時に使用できることが可能になった。また、スマートフォン使用者が持つ既存のスマートフォンに嵌め込み使用できるので、経済的にも有効で新規高機能カメラ付きスマートフォンや外付けカメラを購入する必要も回避できる。
【００２０】本考案は前方方向の安全の確認だけではなく、前方周辺を映し出した映像をスマートフォンの画面上に映し出しながらその画面上で文字の入力やスマートフォン機能も利用でき、更に同時にその操作も重複して映し出すこともできる。
【図面の簡単な説明】
【００２１】
【図１】考案本体の斜視図である
【図２】考案品とスマートフォン本体との装着方法の図である。
【図３】反射鏡と可動軸受け部の詳細図ある。
【図４】反射鏡が収納された状態の詳細図である。
【図５】反射鏡が収納された状態の斜視図である。
【図６】考案本体の内面の斜視図である。
【図７】考案が使用された状態の表示画面描写図である。
【図８】考案の作用の原理を説明した図である。
【符号の説明】
【００２２】１．  本考案のスマートフォン・ケース本体
２．  反射鏡の鏡面
３．  反射鏡本体部
４．  反射鏡収納部
５．  スマートフォン本体
６．  反射鏡可動軸受け部
７．  反射鏡可動軸受け部
８．  スマートフォン・カメラレンズ用開口部
【図１】
0003190624.tif 000003
【図２】
0003190624.tif 000004
【図３】
0003190624.tif 000005
【図４】
0003190624.tif 000006
【図５】
0003190624.tif 000007
【図６】
0003190624.tif 000008
【図７】
0003190624.tif 000009
【図８】
0003190624.tif 000010
【手続補正書】
【提出日】平成26年2月25日(2014.2.25)
【手続補正１】
【補正対象書類名】実用新案登録請求の範囲
【補正対象項目名】全文
【補正方法】変更
【補正の内容】
【実用新案登録請求の範囲】
【請求項１】
角度可変式の反射鏡が付いていることを特徴とするスマートフォン用・ケース。
【請求項２】
前記角度可変式の反射鏡は角度が自由に設定、保持できる可動軸受け部を持ち、かつ、スマートフォン用・ケースに折りたたみ収納もできることを特徴とする請求項１に記載のスマートフォン用・ケース。
【請求項３】
スマートフォン本体を嵌め込むような形状を持ち、容易に着脱でき、かつ、樹脂性の成型体からなる請求項１に記載のスマートフォン用・ケース。
【手続補正２】
【補正対象書類名】図面
【補正対象項目名】図７
【補正方法】変更
【補正の内容】
【図７】
0003190624.tif 000011